(57)【要約】      （修正有）【課題】機器収容部材の板状部の外側面に放熱体を固着する際に、外側面と放熱体の裏面とが全面で密着して、機器収容部材内部の熱を効果的に伝導して放熱する放熱効率の高い機器収容部材の提供。【解決手段】電気機器を内部に収納可能な空間を有するケースＣであって、前記ケースＣは、弾性変形可能で電気絶縁性の合成樹脂で射出成形された蓋壁部２を有し、前記蓋壁部２の外側面は、放熱体Ｈに対面してこれを取付可能な放熱部となっており、前記蓋壁部２には、端子板部６と基板部５を一体に有するように予め別途形成された弾性変形可能な金属板製のバスバーＢの前記基板部５が、前記蓋壁部２の厚さ方向中央よりも放熱部側に位置して一体的に埋設して固着されており、前記蓋壁部２は、合成樹脂の成形収縮量が内側の成形収縮量よりも小さく抑制されることによる成形収縮量の差により放熱部側が凸となる曲面に形成された構成とする。【選択図】        図６
2005019434.tif 000002
【特許請求の範囲】
【請求項１】
作動するときに発熱を伴う電気機器及び／又は電子機器を内部に収容可能な収容空間を有する機器収容部材であって、
前記機器収容部材は、弾性変形可能で電気絶縁性の合成樹脂から板状部を有するように射出成形され、前記板状部は、その内側に板状部と収容部材の他の部分とで形成される前記機器の収容空間を有していると共に、前記板状部の外側面は、前記合成樹脂よりも熱伝導性が高い材料から片面の少なくとも一部に略平坦面形状を有するように形成された放熱体に対面してこれを取付可能な放熱部となっており、
前記板状部には、端子板部と基板部を一体に有するように予め別途形成された弾性変形可能な金属板製のバスバーの前記基板部が、前記板状部の厚さ方向中央よりも放熱部側に位置して一体的に埋設して固着されており、
前記板状部は、機器収容部材が合成樹脂から射出成形される際に前記金属板製バスバーの基板部によって外側の合成樹脂の成形収縮量が内側の成形収縮量よりも小さく抑制されることによる成形収縮量の差により放熱部側が凸となる曲面に形成されていることを特徴とする機器収容部材。
【請求項２】
作動するときに発熱を伴う電気機器及び／又は電子機器を内部に収容可能な収容空間を有し、放熱体に一体に取付けられている機器収容部材であって、
前記機器収容部材は、弾性変形可能で電気絶縁性の合成樹脂から板状部を有するように射出成形され、前記板状部は、その内側に板状部と収容部材の他の部分とで形成される前記機器の収容空間を有していると共に、前記板状部の外側面は、前記合成樹脂よりも熱伝導性が高い材料から片面の少なくとも一部に略平坦面形状を有するように形成された放熱体に対面してこれを取付可能な放熱部となっており、
前記板状部には、端子板部と基板部を一体に有するように予め別途形成された弾性変形可能な金属板製のバスバーの前記基板部が、前記板状部の厚さ方向中央よりも放熱部側に位置して一体的に埋設して固着されており、
前記板状部は、機器収容部材が合成樹脂から射出成形される際に前記金属板製バスバーの基板部によって外側の合成樹脂の成形収縮量が内側の成形収縮量よりも小さく抑制されることによる成形収縮量の差により放熱部側が凸となる曲面に形成されており、
機器収容部材は、固着具により前記放熱体の平坦面に固着されることにより、前記板状部の放熱部が凸状曲面から弾性変形して放熱体の平坦面と平行に固着されていることを特徴とする機器収容部材。
【請求項３】
前記機器収容部材は略箱状ケースをなし、前記板状部が略箱状ケースの底壁部又は蓋壁部を構成していることを特徴とする請求項１又は２に記載の機器収容部材。
【請求項４】
前記板状部において、複数個のバスバーが互いに間隔を保ち、各バスバーの基板部は同一面を保っていることを特徴とする請求項１ないし３のいずれかに記載の機器収容部材。
【請求項５】
前記板状部の外側の放熱部と放熱体の平坦部との間には、前記合成樹脂よりも熱伝導率が高くしかも電気絶縁性の熱伝導材を介して放熱体が固着されていることを特徴とする請求項２ないし４のいずれかに記載の機器収容部材。
【請求項６】
前記板状部において、バスバーの基板部の外面が放熱部側に露出していることを特徴とする請求項５に記載の機器収容部材。
【発明の詳細な説明】
【０００１】
【発明の属する技術分野】
本発明は、作動時に発熱を伴う機器（トランジスター、ＭＯＳ、コンデンサー等の電気及び／又は電子機器）を内部に収納する機器収容部材に関するものである。
【０００２】
【従来の技術】
上記した機器収容部材の一つとしてケース組立体があり、このケース組立体として、ケースの蓋壁部に金属板製のバスバーを部分的に埋設した状態で、電気絶縁性の合成樹脂によりケースを略弁当箱状に射出成形し、ケースの蓋壁部の外側に導熱シートを介在させてアルミ板等の熱伝導性の高い放熱板を一体的に固着したものが知られている（例えば、特許文献１参照）。このケース組立体では、内部の機器から発生した熱を放熱板から放散させてケース内部の温度が上昇するのを防止している。
【０００３】
【特許文献１】
特開２００２−３４３９０５号公報
【０００４】
しかしながら、合成樹脂の射出成形によりケースＣ’を略弁当箱状に形成すると、樹脂の射出成形後における成形収縮は、その外面側の方が内面側よりも大きいために、図７に示されるように、開口と対向する蓋壁部２の外側が僅かに凹状となって反り返る。このように反り返った蓋壁部２に導熱シートＳを介在させて板状の放熱体Ｈを当てがって、前記放熱体Ｈの周縁近傍において複数本のビス１３を介してケースＣ’の蓋壁部２に放熱体Ｈを固着しても、図８に示されるように、ケースＣ’の蓋壁部２と放熱体Ｈとは、周縁部では密着するものの、中央部では両者の間に接触しない空隙部３１が生ずる。なお、図７において、Ｒ’  は、凹状となった蓋壁部２の外側面の曲率半径を示す。
【０００５】
この結果、前記空隙部３１は断熱層として働くために、内部の機器から発生する熱を効果的に放熱体Ｈに伝導できなくなって、ケースＣ’の放熱効率が低下する。
【０００６】
【発明が解決しようとする課題】
本発明の課題は、合成樹脂から射出成形した機器収容部材の板状部の外側面に放熱体を固着する際に、その板状部の外側面と放熱体の裏面とが全面で密着して、機器収容部材内部の熱を効果的に伝導して放熱する放熱効率の高い機器収容部材の提供である。
【０００７】
【課題を解決するための手段】
上記課題を解決するための請求項１の発明は、作動するときに発熱を伴う電気機器及び／又は電子機器を内部に収容可能な収容空間を有する機器収容部材であって、前記機器収容部材は、弾性変形可能で電気絶縁性の合成樹脂から板状部を有するように射出成形され、前記板状部は、その内側に板状部と収容部材の他の部分とで形成される前記機器の収容空間を有していると共に、前記板状部の外側面は、前記合成樹脂よりも熱伝導性が高い材料から片面の少なくとも一部に略平坦面形状を有するように形成された放熱体に対面してこれを取付可能な放熱部となっており、前記板状部には、端子板部と基板部を一体に有するように予め別途形成された弾性変形可能な金属板製のバスバーの前記基板部が、前記板状部の厚さ方向中央よりも放熱部側に位置して一体的に埋設して固着されており、前記板状部は、機器収容部材が合成樹脂から射出成形される際に前記金属板製バスバーの基板部によって外側の合成樹脂の成形収縮量が内側の成形収縮量よりも小さく抑制されることによる成形収縮量の差により放熱部側が凸となる曲面に形成されていることを特徴としている。
【０００８】
請求項１の発明によれば、機器収容部材を構成する板状部の放熱部側が僅かに凸となる曲面に形成されているので、機器収容部材の板状部の外側面に板状の放熱体を取付けた時には、機器収容部材の板状部及び／又は放熱体が弾性変形して、放熱体の裏面（内側面）と機器収容部材の外側面との間に空間部が生じることなく、機器収容部材を構成する板状部の外側面が放熱体の裏面と密着し、機器収容部材内部から発生する熱を効率的に放熱体に伝えることができて放熱効率が低下しない。また、機器収容部材の射出成形時において、その板状部においてその厚さ方向で中央よりも外側に金属板製のバスバーの基板部を配置することにより、前記板状部の外側部を形成する材料の成形収縮が抑制されて、機器収容部材の板状部の放熱部側を僅かに凸となる曲面に簡単に形成できる。
【０００９】
また、請求項２の発明は、作動するときに発熱を伴う電気機器及び／又は電子機器を内部に収容可能な収容空間を有し、放熱体に一体に取付けられている機器収容部材であって、前記機器収容部材は、弾性変形可能で電気絶縁性の合成樹脂から板状部を有するように射出成形され、前記板状部は、その内側に板状部と収容部材の他の部分とで形成される前記機器の収容空間を有していると共に、前記板状部の外側面は、前記合成樹脂よりも熱伝導性が高い材料から片面の少なくとも一部に略平坦面形状を有するように形成された放熱体に対面してこれを取付可能な放熱部となっており、前記板状部には、端子板部と基板部を一体に有するように予め別途形成された弾性変形可能な金属板製のバスバーの前記基板部が、前記板状部の厚さ方向中央よりも放熱部側に位置して一体的に埋設して固着されており、前記板状部は、機器収容部材が合成樹脂から射出成形される際に前記金属板製バスバーの基板部によって外側の合成樹脂の成形収縮量が内側の成形収縮量よりも小さく抑制されることによる成形収縮量の差により放熱部側が凸となる曲面に形成されており、機器収容部材は、固着具により前記放熱体の平坦面に固着されることにより、前記板状部の放熱部が凸状曲面から弾性変形して放熱体の平坦面と平行に固着されていることを特徴としている。
【００１０】
請求項２の発明は、請求項１の発明を「機器収容部材を構成する板状部の外側面に放熱体が一体に取付けられた状態」で把握したものであって、その実質的な作用効果は、請求項１の発明の効果に加えて、内部に機器類を安定して実装できる。
【００１１】
請求項３の発明は、請求項１又は２の発明において、前記機器収容部材は略箱状ケースをなし、前記板状部が略箱状ケースの底壁部又は蓋壁部を構成していることを特徴としている。
【００１２】
請求項３の発明によれば、略箱状ケースの広い面積を有する底壁部又は蓋壁部の外側面に放熱体が一体に取付けられる構成であるので、底壁部又は蓋壁部と放熱体とが隙間なく密着して放熱性が高められるという請求項１又は２の発明の作用効果に加えて、放熱面積そのものが大きくなるために、放熱性が一層高められる。
【００１３】
また、請求項４の発明は、請求項１ないし３のいずれかの発明において、前記板状部において、複数個のバスバーが互いに間隔を保ち、各バスバーの基板部は同一面を保っていることを特徴としている。
【００１４】
請求項４の発明によれば、各バスバーは、板状部の面方向に沿って所定間隔を保って配置されていると共に、バスバーの基板部は、板状部の厚さ方向に沿って同一位置に配置されているため、機器収容部材の射出成形時において、板状部の面方向に沿った成形のバラツキがなくなって、板状部は、その放熱部側がほぼ一定曲率半径の凸となった曲面に形成される。このため、機器収容部材の板状部の外側面の放熱部側に放熱体を一体に固着して、前記板状部が凸状曲面から放熱体の平坦面と平行となるように変形される際に、放熱体の平坦面の平面形状に沿って変形し、機器収容部材の板状部と放熱体との間に空隙部が生じず、放熱性が一層高められる。
【００１５】
また、請求項５の発明は、請求項２ないし４のいずれかの発明において、前記板状部の外側の放熱部と放熱体の平坦部との間には、前記合成樹脂よりも熱伝導率が高くしかも電気絶縁性の熱伝導材を介して放熱体が固着されていることを特徴としている。
【００１６】
請求項５の発明によれば、機器収容部材の板状部と放熱体との間に、合成樹脂よりも熱伝導率が高くしかも電気絶縁性の熱伝導部材が介在されているので、板状部から放熱体への伝熱量が高まって、放熱効率が一層高められる。
【００１７】
また、請求項６の発明は、請求項５の発明において、前記板状部において、バスバーの基板部の外面が放熱部側に露出していることを特徴としている。このため請求項６の発明によれば、金属板製のバスバーが熱伝導材を介して放熱体に近接位置させることができるため、放熱体への熱伝達が高まって、放熱効率が高まる。
【００１８】
【発明の実施の形態】
以下、実施形態を挙げて本発明を更に詳細に説明する。図１は、本発明に係るケース組立体Ａの全体斜視図であり、図２は、図１のＸ−Ｘ線断面図であり、図３は、図１のＹ−Ｙ線断面図であり、図４は、ケースＣの斜視図であり、図５は、同じく平面図であり、図６は、ケースＣの蓋壁部２の外側に放熱体Ｈを固定する状態を示す断面図である。なお、図６は、図２及び図３に対してケースＣの蓋壁部２の外側が凸に湾曲した状態を誇張して表示してある。
【００１９】
本発明に係るケース組立体Ａは、底面が開口していて、作動時に発熱を伴うトランジスター、ＭＯＳ、コンデンサー等の電気及び／又は電子機器Ｐを内部の収容空間１に収納する略弁当箱状のケースＣと、前記ケースＣの蓋壁部２と対向して前記蓋壁部２に固定される平坦な面を有し略板状の放熱体Ｈとを有する。略弁当箱状のケースＣは、周壁部３と、当該周壁部３の上面開口を閉塞する蓋壁部２とが電気絶縁性を有する合成樹脂の射出成形により一体に形成されて、下面が開口した構成であって、枠状をした前記周壁部３の一方の短辺部の外側には、筒状をしたコネクター部４が一体に形成されている。
【００２０】
ケースＣの蓋壁部２には、その樹脂射出成形時において、内部の収容空間１に収納される電子機器を接続するための複数のバスバーＢの一部が部分的にインサートされる。本実施形態のバスバーＢは、金属板を断面Ｌ字状に折り曲げた形態であって、その基板部５がケースＣの蓋壁部２にインサートされると共に、その端子板部６が収容空間１内に配置される。本実施形態のケースＣでは、計６個のバスバーＢが縦横両方向にそれぞれ２列に３個ずつ並んで配置されている。即ち、図４及び図５に示されるように、計６個のバスバーＢは、縦横両方向に沿っていずれも一定間隔Ｄ１  ，Ｄ２  をおいて配置されている。また、ケースＣの周壁部３におけるコネクター部４が設けられた部分には、ケースＣの樹脂射出成形時において、コネクター端子７がケースＣの内外の両方向に突出した形態で、その中央部のみが部分的にインサートされる。
【００２１】
バスバーＢの基板部５を蓋壁部２にインサートした状態でケースＣを樹脂射出成形する際には、図４ないし図６に示されるように、バスバーＢの基板部５が蓋壁部２の外面に露出されて、該蓋壁部２の外側面と同一面となるように配置される。また、バスバーＢの基板部５は、蓋壁部２の厚さ方向との関係では、基板部５の全体が蓋壁部２の厚さ方向の中央よりも外側、つまり蓋壁部２の厚さの（１／２）よりも放熱体Ｈの側に偏った位置に配置されている。このため、バスバーＢの基板部５を蓋壁部２に部分インサートしてケースＣを合成樹脂から射出成形した後において、前記蓋壁部２の外側部分の樹脂は、バスバーＢの基板部５がインサートされているために収縮が抑制されるが、前記蓋壁部２の内側部分の樹脂は、制約を受けずに外側部分よりも大きく収縮する。
【００２２】
よって、ケースＣを合成樹脂により射出成形する際において、蓋壁部２を形成する樹脂の外側は内側よりも収縮量が少なくなって、内外部分において樹脂の成形収縮に差が生ずる。この結果、ケースＣの蓋壁部２は、外面が僅かに凸となる曲面となって形成されて、従来のように、蓋壁部２の上面が僅かに凹状となって反り返ることはなくなる。ここで、「僅かに凸となる」とは、後述する放熱体Ｈの取付けにおいて割れ等を生ずることなく平坦状に弾性変形できる範囲の凸をいう。また、各バスバーＢは、縦横両方向に沿っていずれも一定間隔Ｄ１  ，Ｄ２  をおいて配置されていると共に、バスバーＢの基板部５は、蓋壁部２の外側面に露出して、これと同一面となるように蓋壁部２の厚さ方向に沿って配置されているため、ケースＣの射出成形時において、蓋壁部２の面方向に沿った成形のバラツキがなくなって、蓋壁部２は、その放熱部側が凸となった曲面に形成される。このため、ケースＣの蓋壁部２の外側面の放熱部側に放熱体Ｈを一体に固着して、前記蓋壁部２が凸状曲面から放熱体Ｈの平坦面と平行となるように変形される際に、放熱体Ｈの平坦面に沿った平面形状に変形され易くなって、ケースＣの蓋壁部２と放熱体Ｈとの間に空隙部が殆ど生じなくなって、放熱性が一層高められる。なお、ケースＣの樹脂射出成形時においては、蓋壁部２におけるバスバーＢの基板部５の下方には、前記バスバーＢと長さが同一で幅が狭く、前記バスバーＢに接続される電子機器Ｐが部分収納される機器収納凹部８が形成され、ケースＣの蓋壁部２の周縁部には、複数のビス挿通孔９が形成される。
【００２３】
次に、上記したケースＣの蓋壁部２の外側に板状の放熱体Ｈを固定してケース組立体Ａを形成する場合について説明する。板状の放熱体Ｈは、ケースＣの蓋壁部２の外側に板状の導熱シートＳを介在させて固定されて、ケースＣの内部において電子機器から発生した熱を伝導させて外部に放散させる部材である。このため、放熱体Ｈは、放熱性能を高めるためにアルミニウム板等の金属板で構成されて、表面には凹凸部１２が形成されている（図１、図２及び図６参照）。また、前記導熱シートＳは、電気絶縁性でかつ熱伝導性の高い材料、例えばシリコン系樹脂の積層体で形成されている。なお、図６において、Ｒは、僅かに凸となる湾曲面となった蓋壁部２の外面の曲率半径を示す。
【００２４】
そして、図６に示されるように、外面側が僅かに凸となるように湾曲されたケースＣの蓋壁部２の外側に導熱シートＳを介在させて平坦状の面を有する放熱体Ｈを配置し、ケースＣの周縁部の複数箇所において、ケースＣの蓋壁部２に対して放熱体Ｈを、ケースＣの内側から挿入された複数本のビス１３によって固定すると、図２に示されるように、ケースＣの蓋壁部２は、放熱体Ｈの平坦面形状に倣って、外面側が僅かに凸となった湾曲形状から平坦面状に変形させられて、放熱体ＨはケースＣの蓋壁部２に対してほぼ全面において密着した状態で固定される。また、このようにしてケースＣの蓋壁部２に放熱体Ｈが固定されると、ケースＣの蓋壁部２の外面側が僅かに凸の湾曲面の場合には、ほぼ平坦状に変形させられた蓋壁部２の内部には、外面側が僅かに凸となるような湾曲形状（原形状）に復元しようとする内部応力が残存しており、この内部応力の存在によっても、ケースＣの蓋壁部２と放熱体Ｈとの密着性は高められる。このため、放熱体Ｈの内面側とケースＣの蓋壁部２の外面側との間には空隙部は殆ど発生しなくなる。このようにして、ケースＣの蓋壁部２の外側に導熱シートＳを介して放熱体Ｈが固定されて、ケース組立体Ａが形成される。
【００２５】
なお、このケース組立体Ａを用いてケースＣの蓋壁部２の内面側に形成された部品の収容空間１に電子機器Ｐを収納して、各バスバーＢの基板部５に接続し、各バスバーＢの端子板部６をワイヤー類Ｗ１  で電気的に接続すると共に、特定のバスバーＢとコネクター端子７とを別のワイヤー類Ｗ２  で接続する。最後に、ケースＣの底面の開口に底壁板１４を接着剤等によって気密を保持して固定するとコネクター等の製品が完成する。上記の通りケースＣは電子機器Ｐを収納、実装する前に蓋壁部２を平坦形状に弾性変形させているので、電子機器Ｐを実装した後に弾性変形させる場合に比較して、機器Ｐがワイヤー類Ｗ１  ，Ｗ２  に歪みを生じさせない実用上の利点がある。
【００２６】
このように、ケースＣの蓋壁部２に部分インサートされるバスバーＢの基板部５を蓋壁部２の厚さ方向中央よりも外側に配置させてあるため、ケースＣの樹脂射出成形時において、蓋壁部２を形成する樹脂の外側は内側よりも収縮量が少なくなって、蓋壁部２の内外部分において樹脂の成形収縮量に差が生ずる。この結果、ケースＣの樹脂射出成形時において、その蓋壁部２の外側が僅かに凸状となって、従来構造のように凹状となるのが防止されるので、ケースＣの蓋壁部２の外側に板状の放熱体Ｈを配置して固定した場合に、前記蓋壁部２に対して放熱体Ｈが全面密着して、両者の間に空隙部が生じない。よって、ケースＣ内で発生した熱を放熱体Ｈに効率的に伝導できて、放熱効率が高められる。
【００２７】
特に、上記実施形態では、バスバーＢの基板部５がケースＣの蓋壁部２の外側に露出していて、導熱シートＳに直接に接触して熱伝達率が高められるために、ケースＣ内に発生した熱の放熱効率が一層高められる利点がある。しかし、本発明においては、樹脂の射出成形時にケースＣの蓋壁部２に埋設されるバスバーＢの基板部５は、前記蓋壁部２の厚さ方向の中央よりも外側に偏して配置された状態で、前記基板部５の全体が蓋壁部２に埋設された形態であれば、蓋壁部２の外側部と内側部とで材料の成形収縮の差が生じて、蓋壁部２の外側面を僅かに凸状に形成できる。
【００２８】
また、上記実施形態では、ケースＣの蓋壁部２の外面側が僅かに凸となる湾曲面となっていて、ケース組立体Ａの組立て時において、平坦状の放熱体ＨをケースＣの蓋壁部２の外面側の凸状湾曲面に倣って湾曲させて、ケースＣの蓋壁部２に対して板状の放熱体Ｒを全面密着させて固定する構成であるが、ケースＣの蓋壁部２の外面側が曲率半径の大きなカーブの緩い凸状湾曲面となり、平坦面状に近い場合には、前記蓋壁部２の外面側と対向する放熱体Ｈの下面側を僅かに凸となるような湾曲面に形成しておいて、ケース組立体Ａの組立て時において、ケースＣの蓋壁部２の外面側の平坦面形状に倣わせて放熱体Ｈを平坦状に湾曲変形させて、ケースＣの蓋壁部２の外面に放熱体Ｈを全面密着状態で固定することも可能である。
【００２９】
また、上記実施形態では、箱状をしたケース（機器収容部材）Ｃの蓋壁部２の外側面に放熱体Ｈが固着される構成であって、蓋壁部２の部分からケースＣの内部の熱が放熱される構成であるが、底壁部の外側面に放熱体が固着される場合にも適用可能である。
【００３０】
また、上記実施形態では、ケースＣは、略弁当箱状であって、蓋壁部２と周壁部３とにより、内部に電気及び／又は電子機器Ｐを収納する収容空間１が形成された構成であるが、本発明における「収容空間」とは、上記実施形態のように、全周に亘って周壁部３が設けられた典型的な形状に限られず、前記周壁部３の一部が欠落されたような形状であって、変則的な箱状、或いは不完全な箱状をした形状のもの、更には、「底板部と側板部とで囲まれる空間が物品の収容空間となっている」という箱の観念から離れているが、放熱体を固着する板状部を有しているものは、本発明の対象である「機器収容部材」に該当する。
【００３１】
更に上記実施形態では、ケースＣを射出成形する際に、後工程の弾性変形後にバスバーの端子板部が正規位置となるように蓋壁部が後に弾性変形されることを考慮して、バスバーの射出成形型内へのセット位置を決定しておくことが好ましい。
【００３２】
【発明の効果】
本発明に係る機器収容部材は、外側面に放熱体が取付けられる板状部の厚さ方向に対するバスバーの埋設位置の工夫によって、前記板状部の外側面が凸となるように形成できるので、前記板状部の外側に放熱体を一体に固着する際に、前記放熱体を前記板状部の外側面の凸形状に倣わせて湾曲させることにより、機器収容部材の板状部の外側に放熱体を隙間のないほぼ全面密着状態で固着できる。この結果、機器収容部材内部の熱が効果的に放熱体に熱伝達されて、放熱効率の高い機器収容部材が得られる。
【図面の簡単な説明】
【図１】本発明に係るケース組立体Ａの全体斜視図である。
【図２】図１のＸ−Ｘ線断面図である。
【図３】図１のＹ−Ｙ線断面図である。
【図４】ケースＣの斜視図である。
【図５】同じく平面図である。
【図６】ケースＣの蓋壁部２の外側に放熱体Ｈを固定する状態を示す断面図である。
【図７】従来のケースＣ’  を主体に示すケース組立体Ａ’の組立て前の横断面図である。
【図８】同じくケース組立体Ａ’の組立て後の横断面図である。
【符号の説明】
Ａ：ケース組立体（機器収容部材）
Ｂ：バスバー
Ｃ：ケース（機器収容部材）
Ｄ１  ，Ｄ２  ：バスバーの配置間隔
Ｈ：放熱体
Ｐ：電子機器
Ｓ：導熱シート（熱伝導材）
１：ケースの収容空間
２：ケースの蓋壁部
３：ケースの周壁部
５：バスバーの基板部
６：バスバーの端子板部
【図１】
2005019434.tif 000003
【図２】
2005019434.tif 000004
【図３】
2005019434.tif 000005
【図４】
2005019434.tif 000006
【図５】
2005019434.tif 000007
【図６】
2005019434.tif 000008
【図７】
2005019434.tif 000009
【図８】
2005019434.tif 000010